(57)【要約】  情報漏洩の可能性を低減させる。  画像表示装置（１０）は、画像情報を記憶する画像情報記憶手段（１１）と、画像情報記憶手段（１１）に記憶された画像情報に基づいた画像を画面上に表示すると共に保持する表示手段（１３）と、画像情報記憶手段（１１）に記憶された画像情報の種別を記憶する種別記憶手段（１２）と、画像情報記憶手段（１１）に記憶された画像情報に対する操作を検出する検出手段（１４）と、検出手段（１４）が画像情報記憶手段（１１）からの画像情報の削除を検出すると、種別記憶手段（１２）から削除対象の画像情報の種別を抽出し、削除対象の画像情報に基づく画像が表示手段（１３）の画面上に保持されている場合、種別記憶手段（１２）から抽出した種別に基づいて表示手段（１３）の画面上に保持された画像を消去する制御手段（１５）と、を有する。
2011121704.tif 000002
【特許請求の範囲】
【請求項１】
画像情報を記憶する画像情報記憶手段と、
前記画像情報記憶手段に記憶された画像情報に基づいた画像を画面上に表示すると共に保持する表示手段と、
前記画像情報記憶手段に記憶された画像情報の種別を記憶する種別記憶手段と、
前記画像情報記憶手段に記憶された画像情報に対する操作を検出する検出手段と、
前記検出手段が前記画像情報記憶手段からの画像情報の削除を検出すると、前記種別記憶手段から削除対象の画像情報の種別を抽出し、削除対象の画像情報に基づく画像が前記表示手段の前記画面上に保持されている場合、前記種別記憶手段から抽出した種別に基づいて前記表示手段の前記画面上に保持された画像を消去する制御手段と、
を有することを特徴とする画像表示装置。
【請求項２】
前記種別記憶手段が記憶する種別は、前記画像情報記憶手段からの画像情報の削除に伴い、前記表示手段の前記画面上に保持されている画像を消去するものか、又は、維持するものかを示すものであることを特徴とする請求の範囲第１項記載の画像表示装置。
【請求項３】
前記表示手段が前記画面上に保持している画像の元の画像情報を特定する識別情報を記憶する表示情報記憶手段を有し、
前記制御手段は、削除対象の画像情報に対応する識別情報が、前記表示情報記憶手段に記憶されている場合、前記種別記憶手段から抽出した種別に基づいて、前記表示手段の前記画面上に保持された画像を消去することを特徴とする請求の範囲第１項又は第２項記載の画像表示装置。
【請求項４】
前記表示手段の前記画面は、元の画像情報が前記画像情報記憶手段から削除された後も、表示した画像を保持し続けることを特徴とする請求の範囲第１項〜第３項のいずれか１項に記載の画像表示装置。
【請求項５】
前記表示手段の前記画面は、電力の供給が停止された後も、表示した画像を保持し続けることを特徴とする請求の範囲第１項〜第４項のいずれか１項に記載の画像表示装置。
【請求項６】
前記表示手段の前記画面は、電子ペーパーであることを特徴とする請求の範囲第１項〜第５項のいずれか１項に記載の画像表示装置。
【請求項７】
コンピュータを、
画像情報を記憶する画像情報記憶手段、
前記画像情報記憶手段に記憶された画像情報に基づいた画像を画面上に表示すると共に保持する表示手段、
前記画像情報記憶手段に記憶された画像情報の種別を記憶する種別記憶手段、
前記画像情報記憶手段に記憶された画像情報に対する操作を検出する検出手段、
前記検出手段が前記画像情報記憶手段からの画像情報の削除を検出すると、前記種別記憶手段から削除対象の画像情報の種別を抽出し、削除対象の画像情報に基づく画像が前記表示手段の前記画面上に保持されている場合、前記種別記憶手段から抽出した種別に基づいて前記表示手段の前記画面上に保持された画像を消去する制御手段、
として機能させることを特徴とする画像表示プログラム。
【請求項８】
コンピュータが、
画像情報を記憶する画像情報記憶手段に記憶された画像情報に基づいた画像を表示手段の画面上に表示すると共に保持し、
前記画像情報記憶手段に記憶された画像情報に対する操作を検出し、
前記画像情報記憶手段からの画像情報の削除を検出すると、前記画像情報記憶手段に記憶された画像情報の種別を記憶する種別記憶手段から削除対象の画像情報の種別を抽出し、削除対象の画像情報に基づく画像が前記表示手段の前記画面上に保持されている場合、前記種別記憶手段から抽出した種別に基づいて前記表示手段の前記画面上に保持された画像を消去する、
ことを特徴とする画像表示方法。
【発明の詳細な説明】
【技術分野】
【０００１】
本発明は、画像を表示する画像表示装置、画像表示プログラム、及び、画像表示方法に関する。
【背景技術】
【０００２】
画像情報に基づいた画像を画面上に表示すると共に保持する画像表示装置が存在する。このような画像表示装置の１つとして、例えば、電子ペーパーを用いた画像表示装置が存在する。【０００３】
電子ペーパーは、画像情報に基づいて表示した画像を、電力の供給が停止した後も保持し続けることができる。これにより、電子ペーパーを用いた画像表示装置は、低消費電力化を図ることが可能となる。【０００４】
また、電子ペーパーは薄く形成することができるため、電子ペーパーを用いた画像表示装置は小型化されており、ユーザは、画像表示装置を持ち運んで使用することがある。例えば、ユーザは、ＰＣ（Personal Computer）等から通信ケーブルを介して画像情報を画像表示装置に取り込み、これを持ち運んで移動先で取り込んだ画像情報に基づく画像を閲覧する。【０００５】
例えば、電子ペーパーを用いた情報処理システムとして、ユーザが電子ペーパーをストッカ装置に投入すると、電子ペーパーに表示保持されたドキュメント画像に対応するドキュメントデータに所定の処理を施す技術がある（例えば、特許文献１参照）。【０００６】
また、ユーザが電子ペーパーをマルチトレイ装置のトレイに投入すると、電子ペーパーに表示保持されたドキュメント画像に対応するドキュメントデータに対して、電子ペーパーが投入されたトレイに予め設定された処理を施す技術がある（例えば、特許文献２参照）。
【先行技術文献】
【特許文献】
【０００７】
【特許文献１】特開２００５−３２７１５８号公報
【特許文献２】特開２００５−３２７１６０号公報
【発明の概要】
【発明が解決しようとする課題】
【０００８】
しかしながら、電子ペーパーを用いた画像表示装置では、電子ペーパーへの電力の供給が停止した後も、画像は電子ペーパー上に保持され続けるため、ユーザが画像表示装置に記憶されている画像情報を削除したとしても、電子ペーパー上に保持された画像が消去されないことがある。【０００９】
このため、ユーザが画像情報を画像表示装置から削除することで情報の保守を図ったとしても、電子ペーパー上には画像が残るため、ユーザの意図に反して電子ペーパー上に保持された画像が第三者に閲覧され、情報が漏洩してしまう可能性がある。【００１０】
このような問題は、電子ペーパーを用いた画像表示装置に限定されず、画像を画面上に保持するタイプの他の画像表示装置においても同様に生じる。
このような点に鑑み、情報漏洩の可能性を低減させた画像表示装置、画像表示プログラム、及び、画像表示方法を提供することを目的とする。
【課題を解決するための手段】
【００１１】
上記目的を達成するために以下のような画像表示装置が提供される。
この画像表示装置は、画像情報を記憶する画像情報記憶手段と、画像情報記憶手段に記憶された画像情報に基づいた画像を画面上に表示すると共に保持する表示手段と、画像情報記憶手段に記憶された画像情報の種別を記憶する種別記憶手段と、画像情報記憶手段に記憶された画像情報に対する操作を検出する検出手段と、検出手段が画像情報記憶手段からの画像情報の削除を検出すると、種別記憶手段から削除対象の画像情報の種別を抽出し、削除対象の画像情報に基づく画像が表示手段の画面上に保持されている場合、種別記憶手段から抽出した種別に基づいて表示手段の画面上に保持された画像を消去する制御手段と、を有する。
【発明の効果】
【００１２】
開示の画像表示装置、画像表示プログラム、及び、画像表示方法によれば、情報漏洩の可能性を低減させることが可能となる。
本発明の上記および他の目的、特徴および利点は本発明の例として好ましい実施の形態を表す添付の図面と関連した以下の説明により明らかになるであろう。
【図面の簡単な説明】
【００１３】
【図１】第１の実施の形態に係る画像表示装置の一例を示す図である。
【図２】第２の実施の形態に係る画像表示装置のシステムの一例を示す図である。
【図３】第２の実施の形態に係る画像表示装置のハードウェアの一例を示す図である。
【図４】第２の実施の形態に係る画像表示装置の機能ブロックの一例を示す図である。
【図５】第２の実施の形態に係る画像情報テーブルの一例を示す図である。
【図６】第２の実施の形態に係る種別テーブルの一例を示す図である。
【図７】第２の実施の形態に係る表示情報テーブルの一例を示す図である。
【図８】第２の実施の形態に係る画像表示装置の処理手順の一例を示すフローチャートである。
【発明を実施するための形態】
【００１４】
以下、実施の形態を図面を参照して説明する。
［第１の実施の形態］
図１は、第１の実施の形態に係る画像表示装置の一例を示す図である。
【００１５】
画像表示装置１０は、画像情報記憶手段１１と、種別記憶手段１２と、表示手段１３と、検出手段１４と、制御手段１５とを有する。
画像情報記憶手段１１は、画像情報を記憶する。表示手段１３は、画像情報記憶手段１１に記憶された画像情報に基づいた画像を画面上に表示すると共に、画像を画面上に保持する。
【００１６】
種別記憶手段１２は、画像情報記憶手段１１に記憶された画像情報の種別を記憶する。種別記憶手段１２が記憶する種別は、画像情報記憶手段１１からの画像情報の削除に伴い、表示手段１３の画面上に保持されている画像を消去するものか、又は、維持するものかを示すものである。
【００１７】
検出手段１４は、画像情報記憶手段１１が記憶する画像情報に対して操作があると、それを検出する。
制御手段１５は、検出手段１４が画像情報記憶手段１１からの画像情報の削除を検出すると、種別記憶手段１２から削除対象の画像情報の種別を抽出する。そして、制御手段１５は、削除対象の画像情報に基づく画像が表示手段１３の画面上に保持されている場合、種別記憶手段１２から抽出した種別に基づいて、表示手段１３の画面上に保持された画像を消去する。
【００１８】
次に、画像表示装置１０の処理手順について説明する。
検出手段１４が画像情報記憶手段１１に記憶された画像情報に対する操作を検出すると、処理が開始される。
【００１９】
まず、制御手段１５が、検出手段１４が検出した操作が、画像情報記憶手段１１からの画像情報の削除であるかどうかを判定する。
次に、検出手段１４が検出した操作が画像情報の削除である場合、制御手段１５が、種別記憶手段から削除対象の画像情報に対応する種別を抽出する。
【００２０】
次に、削除対象の画像情報に基づく画像が表示手段１３の画面上に保持されている場合、制御手段１５が、種別記憶手段１２から抽出した種別に基づいて、表示手段１３の画面上に保持された画像を消去する。
【００２１】
このように、画像表示装置１０では、制御手段１５が、検出手段１４が画像情報記憶手段１１からの画像情報の削除を検出すると、削除対象の画像情報に基づく画像が表示手段１３の画面上に保持されている場合、表示手段１３の画面上に保持された画像を消去する。
【００２２】
これにより、ユーザの意図に反して表示手段１３の画面上に保持された画像が第三者に閲覧されてしまうことを抑制でき、情報漏洩の可能性を低減できる。
さらに、画像表示装置１０では、表示手段１３の画面上に保持された画像の消去は、種別記憶手段１２から抽出された種別に基づいて行われる。これにより、画像情報記憶手段１１から画像情報の削除に伴い、表示手段１３の画面上に保持された画像を消去するか、又は、維持するかを、ユーザが適宜選択することが可能となる。このため、ユーザによる使い勝手を向上させることが可能となる。
【００２３】
次に、画像表示装置１０をより具体的にした実施の形態を、第２の実施の形態として説明する。
［第２の実施の形態］
図２は、第２の実施の形態に係る画像表示装置のシステムの一例を示す図である。
【００２４】
画像表示装置１００は、画像情報を記憶し、記憶した画像情報に基づいた画像を画面上に表示する。画像表示装置１００は、ネットワーク９０１を介して、ＰＣ９０２ａと接続される。また、画像表示装置１００は、ＵＳＢ（Universal Serial Bus）ケーブル等の通信ケーブル９０４により直接、ＰＣ９０２ｂと接続される。なお、画像表示装置１００は、ネットワーク９０１、又は、ＰＣ９０２ｂから切り離すことができ、持ち運ぶことができる。
【００２５】
ＰＣ９０２ａ，９０２ｂは、記憶している画像情報を、ネットワーク９０１、又は、通信ケーブル９０４を介して画像表示装置１００に転送し、画像表示装置１００に格納する。また、ＰＣ９０２ａ，９０２ｂは、画像表示装置１００が記憶する画像情報に対して、例えば、削除等の操作を行う。
【００２６】
さらに、画像表示装置１００は、インターネット９０３に、例えば無線などにより接続される。画像表示装置１００は、インターネット９０３から例えば無線などにより画像情報を取得する。
【００２７】
ここで、画像情報は、例えば、書籍に関するものである。例えば、上述したような持ち運び可能な画像表示装置１００に、書籍の画像情報を記憶させることで、画像表示装置１００を電子書籍端末として用いることも可能である。
【００２８】
次に、画像表示装置１００のハードウェアを説明する。
図３は、第２の実施の形態に係る画像表示装置のハードウェアの一例を示す図である。
画像表示装置１００は、ＣＰＵ（Central Processing Unit）１０１によって装置全体が制御されている。ＣＰＵ１０１には、バス１０７を介してＲＡＭ（Random Access Memory）１０２と複数の周辺機器が接続されている。
【００２９】
ＲＡＭ１０２は、画像表示装置１００の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。
【００３０】
バス１０７に接続されている周辺機器としては、ハードディスクドライブ（ＨＤＤ:Hard Disk Drive）１０３、電子ペーパー１０４、キーボード１０５、及び、通信インタフェース１０６がある。
【００３１】
ＨＤＤ１０３は、内蔵したディスクに対して、磁気的にデータの書き込みおよび読み出しを行う。ＨＤＤ１０３は、画像表示装置１００の二次記憶装置として使用される。ＨＤＤ１０３には、ＯＳのプログラム、アプリケーションプログラム、および各種データが格納される。なお、二次記憶装置としては、フラッシュメモリなどの半導体記憶装置を使用することもできる。
【００３２】
電子ペーパー１０４は、ＣＰＵ１０１からの命令に従って、画像を表示する。電子ペーパー１０４は、表示した画像を、電力の供給が停止した後も保持し続けることができる。これにより、画像表示装置１００の低消費電力化を図ることが可能となる。
【００３３】
電子ペーパー１０４は、例えば、対向する透明な基板間に液晶が挟まれた構造を有し、この液晶に光が反射することで、画像が表示される。具体的には、対向する透明な基板にはそれぞれ透明な電極が形成され、この電極に電圧をかけることで、液晶分子の向きが変わり、光の反射が変化することで画像が表示される。そして、電極にかけた電圧を切った後も、液晶分子の向きは変わらないため、画像がそのまま表示保持される。液晶には、例えば、コレステリック液晶が用いられる。
【００３４】
さらに、電子ペーパー１０４は薄く形成することができる。このため、画像表示装置１００を小型化することが可能となり、持ち運びに適した画像表示装置１００を提供することが可能となる。
【００３５】
キーボード１０５は、信号をＣＰＵ１０１に送信する。通信インタフェース１０６は、ネットワーク９０１、又は、ＰＣ９０２ｂに接続される。通信インタフェース１０６は、ネットワーク９０１を介して、他のコンピュータまたは通信機器との間でデータの送受信を行う。さらに、通信インタフェース１０６は、インターネット９０３と無線接続される。通信インタフェース１０６は、インターネット９０３からデータを取得する。
【００３６】
以上のようなハードウェアによって、実施の形態の処理機能を実現することができる。
次に、画像表示装置１００の機能について説明する。
図４は、第２の実施の形態に係る画像表示装置の機能ブロックの一例を示す図である。
【００３７】
画像表示装置１００は、ストレージ１１０と、表示手段１２０と、画像情報入出力手段１３０と、検出手段１４０と、制御手段１５０とを有する。さらに、ストレージ１１０は、画像情報記憶手段１１１と、種別記憶手段１１２と、表示情報記憶手段１１３とを有する。
【００３８】
画像情報記憶手段１１１は、複数の画像情報を記憶する。例えば、画像情報記憶手段１１１は、画像情報が、ファイル名と、画像情報を特定する識別情報であるＩＤ（identification）と対応付けられて格納される画像情報テーブルを記憶する。
【００３９】
表示手段１２０は、画像情報記憶手段１１１に記憶された画像情報に基づいた画像を画面上に表示すると共に、画像を画面上に保持する。この表示手段１２０の画面は、例えば、電子ペーパー１０４で実現される。表示手段１２０の画面は、表示した画像を、電力の供給が停止された後も保持し続ける。また、表示手段１２０の画面は、保持した画像を、元の画像情報が画像情報記憶手段１１１から削除された後も保持し続ける。
【００４０】
種別記憶手段１１２は、画像情報記憶手段１１１に記憶された画像情報の種別を記憶する。種別記憶手段１１２が記憶する種別は、画像情報記憶手段１１１からの画像情報の削除に伴い、表示手段１２０の画面上に保持されている画像を消去するものか、又は、維持するものかを示すものである。例えば、種別記憶手段１１２は、種別がファイル名とＩＤと対応付けられて格納される種別テーブルを記憶する。
【００４１】
表示情報記憶手段１１３は、表示手段１２０が画面上に保持している画像の元となる画像情報のＩＤを記憶する。例えば、表示情報記憶手段１１３は、元となる画像情報のＩＤとファイル名と表示手段１２０の画面上における表示領域とが対応付けられて格納される表示情報テーブルを記憶する。
【００４２】
画像情報入出力手段１３０には、例えば、ネットワーク９０１を介して接続されたＰＣ９０２ａ、通信ケーブル９０４により直接接続されたＰＣ９０２ｂ、又は、インターネット９０３から画像情報が入力される。また、画像情報入出力手段１３０は、画像情報記憶手段１１１に記憶された画像情報を外部へ出力する。
【００４３】
検出手段１４０は、画像情報記憶手段１１１に記憶された画像情報に対して操作があると、それを検出する。操作とは、例えば、削除、複製、閲覧、上書き等である。操作は、例えば、ユーザにより行われる。操作は、例えば、画像表示装置１００、ネットワーク９０１を介して接続されたＰＣ９０２ａ、又は、画像表示装置１００に通信ケーブル９０４により直接接続されたＰＣ９０２ｂにより行われる。
【００４４】
制御手段１５０は、画像情報入出力手段１３０に画像情報が入力されると、入力された画像情報をファイル名とＩＤと共に、画像情報記憶手段１１１の画像情報テーブルに格納する。さらに、制御手段１５０は、入力された画像情報に、画像情報記憶手段１１１からの画像情報の削除に伴い、表示手段１２０の画面上に保持されている画像を消去するものか、又は、維持するものかを示す種別を付与する。
【００４５】
そして、制御手段１５０は、付与した種別をファイル名とＩＤと共に種別記憶手段１１２の種別テーブルに格納する。ここで、制御手段１５０による種別の付与は、例えば、ユーザによる設定に基づいて行われる。
【００４６】
なお、種別の割り当ては、ネットワーク９０１を介して接続されたＰＣ９０２ａ、又は、画像表示装置１００に通信ケーブル９０４により直接接続されたＰＣ９０２ｂにより行うことも可能である。
【００４７】
さらに、制御手段１５０は、検出手段１４０が画像情報の閲覧操作を検出すると、画像情報記憶手段１１１の画像情報テーブルに格納された所定の画像情報を抽出し、抽出した画像を表示手段１２０の画面上に表示させる。
【００４８】
さらに、制御手段１５０は、表示手段１２０が画面上に保持している画像の元となる画像情報のＩＤをファイル名と表示手段１２０における表示領域と共に表示情報記憶手段１１３の表示情報テーブルに格納する。また、制御手段１５０は、表示手段１２０の画面上に次の画像が表示され、前の画像が画面上から消去された場合、表示情報テーブルに格納された前の画像の元の画像情報のＩＤ、ファイル名、及び、表示領域を、表示情報テーブルから削除する。
【００４９】
即ち、制御手段１５０は、現在、表示手段１２０の画面上に保持されている画像に対してのみ、元となる画像情報のＩＤ、ファイル名、及び表示領域が表示情報テーブルに格納されるように、表示情報テーブルへの情報の格納及び削除を行う。
【００５０】
さらに、制御手段１５０は、検出手段１４０が、画像情報記憶手段１１１からの画像情報の削除を検出すると、種別記憶手段１１２の種別テーブルを参照し、削除対象の画像情報の種別を抽出する。この抽出には、例えば、ＩＤが用いられる。
【００５１】
そして、制御手段１５０は、削除対象の画像情報に基づく画像が表示手段１２０の画面上に保持されている場合、種別テーブルから抽出した種別に基づいて表示手段１２０の画面上に保持された画像を消去する。具体的には、制御手段１５０は、削除対象の画像情報に対応するＩＤが、表示情報記憶手段１１３の表示情報テーブルに格納されている場合、種別テーブルから抽出した種別に基づいて表示手段１２０の画面上に保持された画像を消去する。
【００５２】
即ち、制御手段１５０は、種別テーブルから抽出した種別が、表示手段１２０の画面上に保持されている画像を消去することを示す場合、表示手段１２０の画面上に保持された画像を消去する。ここで、画像の消去は、表示情報テーブルに格納されている表示領域により指定された範囲で行う。
【００５３】
次に、画像情報記憶手段１１１が記憶する画像情報テーブルについて説明する。
図５は、第２の実施の形態に係る画像情報テーブルの一例を示す図である。
画像情報テーブル１１１ａには、複数の画像情報がファイル名とＩＤと共に格納されている。例えば、画像情報テーブル１１１ａでは、ファイル名が（\file1.xxx）の画像情報にＩＤ（１）が付与され、ファイル名が（\file2.xxx）の画像情報にＩＤ（２）が付与され、ファイル名が（\project1\1.xxx）の画像情報にＩＤ（３）が付与されている。
【００５４】
次に、種別記憶手段１１２が記憶する種別テーブルについて説明する。
図６は、第２の実施の形態に係る種別テーブルの一例を示す図である。
種別テーブル１１２ａには、画像情報テーブル１１１ａに格納された画像情報の種別がファイル名とＩＤと共に格納されている。ここで、図中の種別の欄の「画像消去」は、画像情報記憶手段１１１からの画像情報の削除に伴い、表示手段１２０の画面上に保持されている画像を消去することを示し、「画像維持」は、表示手段１２０の画面上に保持されている画像を維持することを示す。
【００５５】
例えば、種別テーブル１１２ａでは、ＩＤ（１）及びファイル名（\file1.xxx）の画像情報の種別が「画像消去」であり、ＩＤ（２）及びファイル名（\file2.xxx）の画像情報の種別が「画像消去」であり、ＩＤ（３）及びファイル名（\project1\1.xxx）の画像情報の種別が「画像維持」である。
【００５６】
次に、表示情報記憶手段１１３が記憶する表示情報テーブルについて説明する。
図７は、第２の実施の形態に係る表示情報テーブルの一例を示す図である。
表示情報テーブル１１３ａには、表示手段１２０が画面上に保持している画像の元の画像情報のＩＤが、ファイル名と表示手段１２０の画面上における表示領域と共に格納されている。ここで、表示領域は、表示手段１２０の画面上における座標（始点Ｘ，始点Ｙ，終点Ｘ，終点Ｙ）により示されている。
【００５７】
例えば、表示情報テーブル１１３ａでは、ＩＤ（１）及びファイル名（\file1.xxx）の画像情報に基づく画像が、表示手段１２０の画面上の表示領域（０，０，７６８，５００）に表示されており、ＩＤ（２）及びファイル名（\file2.xxx）の画像情報に基づく画像が、表示手段１２０の画面上の表示領域（０，５００，７６８，１０２４）に表示されていることを示す情報が格納されている。
【００５８】
次に、画像表示装置１００の処理手順について説明する。
図８は、第２の実施の形態に係る画像表示装置の処理手順の一例を示すフローチャートである。
【００５９】
以下の処理は、検出手段１４０が画像情報記憶手段１１１に記憶された画像情報に対する操作を検出することで開始される。
［ステップＳ１０］制御手段１５０が、検出手段１４０が検出した操作が、画像情報記憶手段１１１からの画像情報の削除であるかどうかを判定する。制御手段１５０は、画像情報の削除である場合、処理をステップＳ１１に進める。制御手段１５０は、画像の削除ではない場合、処理を終了する。
【００６０】
［ステップＳ１１］制御手段１５０が、種別記憶手段１１２に記憶されている種別テーブル１１２ａを参照する。
［ステップＳ１２］制御手段１５０が、種別テーブル１１２ａから削除対象の画像情報に対応する種別を抽出する。抽出には、例えば、ＩＤが用いられる。そして、制御手段１５０は、抽出した種別が、画像情報記憶手段１１１からの画像情報の削除に伴い表示手段１２０の画面上に保持されている画像を消去することを示す「画像消去」であるかどうかを判定する。制御手段１５０は、「画像消去」である場合、処理をステップＳ１３に進める。制御手段１５０は、「画像消去」ではない場合、即ち、「画像維持」である場合、処理を終了する。
【００６１】
［ステップＳ１３］制御手段１５０が、表示情報記憶手段１１３に記憶されている表示情報テーブル１１３ａを参照する。
［ステップＳ１４］制御手段１５０は、表示情報テーブル１１３ａに、削除対象の画像情報に対応するＩＤが格納されているかどうかを判定する。制御手段１５０は、ＩＤが格納されている場合、処理をステップＳ１５に進める。制御手段１５０は、ＩＤが格納されていない場合、処理を終了する。
【００６２】
［ステップＳ１５］制御手段１５０は、表示手段１２０の画面上に保持されている画像を消去して処理を終了する。ここで、画像の消去は、表示情報テーブル１１３ａに格納されている表示領域により指定された範囲で行う。
【００６３】
なお、上記の処理手順において、表示情報テーブル１１３ａに削除対象の画像情報に対応するＩＤが格納されているかどうかを判定する処理を、種別テーブル１１２ａから抽出した種別が「画像消去」であるかどうかを判定する処理よりも先に行ってもよい。即ち、この場合、ステップＳ１０、ステップＳ１３、ステップＳ１４、ステップＳ１１、ステップＳ１２、ステップＳ１５の順番で処理が行われる。
【００６４】
このように、画像表示装置１００では、制御手段１５０が、検出手段１４０が画像情報記憶手段１１１からの画像情報の削除を検出すると、削除対象の画像情報に基づく画像が表示手段１２０の画面上に保持されている場合、表示手段１２０の画面上に保持された画像を消去する。
【００６５】
これにより、ユーザの意図に反して表示手段１２０の画面上に保持された画像が第三者に閲覧されてしまうことを抑制でき、情報漏洩の可能性を低減できる。
さらに、画像表示装置１００では、表示手段１２０の画面上に保持された画像の消去は、種別記憶手段１１２から抽出された種別に基づいて行われる。これにより、画像情報記憶手段１１１から画像情報の削除に伴い、表示手段１２０の画面上に保持された画像を消去するか、又は、維持するかを、ユーザが適宜選択することが可能となる。このため、ユーザによる使い勝手を向上させることが可能となる。
【００６６】
なお、上記の処理機能は、コンピュータによって実現することができる。その場合、画像表示装置１００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【００６７】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００６８】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【００６９】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【００７０】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００７１】
１０  画像表示装置
１１  画像情報記憶手段
１２  種別記憶手段
１３  表示手段
１４  検出手段
１５  制御手段
【図１】
2011121704.tif 000003
【図２】
2011121704.tif 000004
【図３】
2011121704.tif 000005
【図４】
2011121704.tif 000006
【図５】
2011121704.tif 000007
【図６】
2011121704.tif 000008
【図７】
2011121704.tif 000009
【図８】
2011121704.tif 000010
【国際調査報告】
2011121704.tif 000011
2011121704.tif 000012